(57)【要約】【課題】  本明細書は、電力抑制運転中であり、外気温度が比較的に低い場合において、熱媒を確実に加熱することのできる技術を提供する。【解決手段】  給湯システムは、ヒートポンプ熱源と、補助熱源と、タンクと、を備えており、通常運転と、電力抑制運転と、を有している。制御装置は、ヒートポンプ熱源を駆動させ、ヒートポンプ熱源によって第１の目標温度に加熱された熱媒をタンクに貯留する低温加熱運転と、低温加熱運転によって加熱された熱媒を利用箇所に供給する第１の熱媒供給運転と、補助熱源を駆動させ、補助熱源により加熱された熱媒を利用箇所に供給する第２の熱媒供給運転と、を実行可能に構成されており、制御装置は、電力抑制運転中において、外気温度が第１の所定温度未満である場合に、低温加熱運転を禁止する。【選択図】図５
2018119723.tif 000002
【特許請求の範囲】
【請求項１】
電力を消費して熱媒を加熱するヒートポンプ熱源と、燃料の燃焼によって前記熱媒を加熱する補助熱源と、前記ヒートポンプ熱源で加熱された前記熱媒を貯留するタンクと、を備えており、通常運転と、通常運転時の最大消費電力よりも低い抑制電力以下で動作する電力抑制運転と、を有している給湯システムであって、
制御装置は、前記ヒートポンプ熱源を駆動させ、前記ヒートポンプ熱源によって第１の目標温度に加熱された前記熱媒を前記タンクに貯留する低温加熱運転と、前記低温加熱運転によって加熱された前記熱媒を利用箇所に供給する第１の熱媒供給運転と、前記補助熱源を駆動させ、前記補助熱源により加熱された前記熱媒を前記利用箇所に供給する第２の熱媒供給運転と、を実行可能に構成されており、
前記制御装置は、前記電力抑制運転中において、外気温度が第１の所定温度未満である場合に、前記低温加熱運転を禁止する、給湯システム。
【請求項２】
前記制御装置は、さらに、
過去の前記熱媒の前記利用箇所への供給実績に基づいて、前記熱媒の供給開始予定時刻を設定するように構成されており、
前記タンクに貯留されている前記熱媒が前記利用箇所に供給されることなく第１の所定時間が経過する場合に、前記ヒートポンプ熱源を駆動させ、前記タンクに貯留されている前記熱媒を、前記第１の目標温度よりも高い第２の目標温度に加熱する高温加熱運転を実行可能に構成されており、
前記制御装置は、前記電力抑制運転中において、前記熱媒の供給開始予定時刻が設定されている場合に、前記熱媒の供給開始予定時刻に基づいて、前記高温加熱運転の開始予定時刻を設定するように構成されている、請求項１に記載の給湯システム。
【請求項３】
前記制御装置は、さらに、前記タンクに貯留されている前記熱媒が前記利用箇所に供給されることなく第１の所定時間が経過する場合に、前記ヒートポンプ熱源を駆動させ、前記タンクに貯留されている前記熱媒を、前記第１の目標温度よりも高い第２の目標温度に加熱する高温加熱運転を実行可能に構成されており、
前記制御装置は、前記電力抑制運転中において、前記利用箇所への前記熱媒の供給が完了してから第２の所定時間が経過するまでは、前記高温加熱運転を禁止し、前記第２の所定時間が経過した後は、前記高温加熱運転を許可するように構成されている、請求項１または２に記載の給湯システム。
【請求項４】
前記制御装置は、さらに、前記タンクに貯留されている前記熱媒が前記利用箇所に供給されることなく第１の所定時間が経過する場合に、前記ヒートポンプ熱源を駆動させ、前記タンクに貯留されている前記熱媒を、前記第１の目標温度よりも高い第２の目標温度に加熱する高温加熱運転を実行可能に構成されており、
前記制御装置は、前記電力抑制運転中において、前記タンクに貯留されている前記熱媒が前記利用箇所に供給されることなく前記第１の所定時間が経過する際の前記外気温度が第２の所定温度よりも大きい場合に、深夜時間帯の間に、前記高温加熱運転を開始させる、請求項１から３のいずれか一項に記載の給湯システム。
【請求項５】
前記給湯システムは、屋外に設置された第１及び第２の屋外コンセントを備える家屋に設置され、
前記ヒートポンプ熱源を有するヒートポンプユニットは、前記第１の屋外コンセントに電気的に接続されており、
前記タンクを有するタンクユニット及び前記補助熱源を有する補助熱源ユニットは、前記第２の屋外コンセントに電気的に接続されており、
前記制御装置は、前記電力抑制運転中において、外部電源から前記第１の屋外コンセントを介して前記ヒートポンプユニットに供給される電流が所定電流以下となるように、前記ヒートポンプユニットの動作を制御するとともに、前記外部電源から前記第２の屋外コンセントを介して前記タンクユニット及び前記補助熱源ユニットに供給される電流が、前記所定電流以下となるように前記タンクユニット及び前記補助熱源ユニットの動作を制御する、請求項１から４のいずれか一項に記載の給湯システム。
【発明の詳細な説明】
【技術分野】
【０００１】
本明細書に開示する技術は、給湯システムに関する。
【背景技術】
【０００２】
特許文献１に開示されている給湯システムは、電力を消費して熱媒を加熱するヒートポンプ熱源と、ヒートポンプ熱源で加熱された熱媒を貯留するタンクと、を備えている。給湯システムは、タンクに貯留されている加熱された熱媒を利用箇所に供給する。
【先行技術文献】
【特許文献】
【０００３】
【特許文献１】特開２００２−１８８８５９号公報
【発明の概要】
【発明が解決しようとする課題】
【０００４】
給湯システムに供給される電流（即ち、給湯システムの消費電力）が抑制される場合がある。例えば、給湯システムを最大消費電力で動作させる場合に給湯システムに供給される電流が、給湯システムを設置する家屋が契約している電流よりも大きい場合などである。この場合、給湯システムの消費電力は、給湯システムに供給される電流が契約電流以下になるように抑制される。従って、ヒートポンプ熱源の加熱能力は抑制される。また、ヒートポンプ熱源の加熱能力は、外気温度が低くなるほど、低下する。このため、給湯システムの消費電力が抑制されている状態において、外気温度が低いほど、ヒートポンプ熱源の加熱能力は低下する。このため、給湯システムの消費電力が抑制されており、かつ、外気温度が比較的に低い場合において、熱媒をユーザが所望する温度まで加熱できない場合がある。
【０００５】
本明細書は、電力抑制運転中であり、外気温度が比較的に低い場合において、熱媒を確実に加熱することのできる技術を提供する。
【課題を解決するための手段】
【０００６】
本明細書に開示する給湯システムは、電力を消費して熱媒を加熱するヒートポンプ熱源と、燃料の燃焼によって前記熱媒を加熱する補助熱源と、前記ヒートポンプ熱源で加熱された前記熱媒を貯留するタンクと、を備えており、通常運転と、通常運転時の最大消費電力よりも低い抑制電力以下で動作する電力抑制運転と、を有している給湯システムであって、制御装置は、前記ヒートポンプ熱源を駆動させ、前記ヒートポンプ熱源によって第１の目標温度に加熱された前記熱媒を前記タンクに貯留する低温加熱運転と、前記低温加熱運転によって加熱された前記熱媒を利用箇所に供給する第１の熱媒供給運転と、前記補助熱源を駆動させ、前記補助熱源により加熱された前記熱媒を前記利用箇所に供給する第２の熱媒供給運転と、を実行可能に構成されており、前記制御装置は、前記電力抑制運転中において、外気温度が第１の所定温度未満である場合に、前記低温加熱運転を禁止する。
【０００７】
このような構成によれば、制御装置は、外気温度が第１の所定温度未満である場合において、低温加熱運転を禁止する。電力抑制運転中において、ヒートポンプ熱源の加熱能力は、通常運転中のヒートポンプ熱源の加熱能力よりも抑制される。また、ヒートポンプ熱源の加熱能力は、外気温度が低いほど、低下する。従って、電力抑制運転中において、外気温度が低いほど、ヒートポンプ熱源の加熱能力は抑制される。このため、電力抑制運転中であり、かつ、外気温度が第１の所定温度未満である場合において、低温加熱運転が実行されても、熱媒を第１の目標温度まで加熱できない可能性がある。このため、外気温度が第１の所定温度未満である場合において、低温加熱運転を禁止することで、給湯システムの消費電力を抑制することができる。また、補助熱源の加熱能力は、ヒートポンプ熱源の加熱能力よりも高い。従って、例えば、タンクに第１の目標温度に加熱された熱媒が貯留されている場合は第１の熱媒供給運転を実行し、タンクに第１の目標温度に加熱された熱媒が貯留されていない場合は、第２の熱媒供給運転を実行することで、利用箇所に加熱された熱媒を確実に供給することができる。
【０００８】
制御装置は、さらに、過去の熱媒の利用箇所への供給実績に基づいて、熱媒の供給開始予定時刻を設定するように構成されており、タンクに貯留されている熱媒が利用箇所に供給されることなく第１の所定時間が経過する場合に、ヒートポンプ熱源を駆動させ、タンクに貯留されている熱媒を、第１の目標温度よりも高い第２の目標温度に加熱する高温加熱運転を実行可能に構成されていてもよい。この場合、制御装置は、電力抑制運転中において、熱媒の供給開始予定時刻が設定されている場合に、熱媒の供給開始予定時刻に基づいて、高温加熱運転の第２の開始予定時刻を設定するように構成されているとよい。
【０００９】
利用箇所への熱媒の供給（即ち、第１の熱媒供給運転又は第２の熱媒供給運転）が実行される場合、給湯システムは電力を消費する。上記の構成によると、制御装置は、熱媒の供給開始予定時刻に基づいて、高温加熱運転の第２の開始予定時刻を設定することができる。このため、制御装置は、熱媒の供給開始予定時刻と第２の開始予定時刻が同時刻にならないように設定することができる。これにより、利用箇所への熱媒の供給と高温加熱運転が同時に実行されることを抑制することができる。従って、電力抑制運転中において、給湯システムの消費電力を抑制することができる。
【００１０】
制御装置は、さらに、タンクに貯留されている熱媒が利用箇所に供給されることなく第１の所定時間が経過する場合に、ヒートポンプ熱源を駆動させ、タンクに貯留されている熱媒を、第１の目標温度よりも高い第２の目標温度に加熱する高温加熱運転を実行可能に構成されていてもよい。この場合、制御装置は、電力抑制運転中において、利用箇所への熱媒の供給が完了してから第２の所定時間が経過するまでは、高温加熱運転を禁止し、第２の所定時間が経過した後は、高温加熱運転を許可するように構成されている。
【００１１】
上記の構成によると、制御装置は、利用箇所への熱媒の供給が完了してから第２の所定時間が経過する場合に、高温加熱運転を開始させる。第２の所定時間が経過してから比較的短時間の間に、熱媒の利用箇所への供給が再び所望される可能性は低い。このため、利用箇所への熱媒の供給（第１の熱媒供給運転又は第２の熱媒供給運転）と高温加熱運転が同時に実行されることを抑制することができる。従って、電力抑制運転中において、給湯システムの消費電力を抑制することができる。
【００１２】
制御装置は、さらに、タンクに貯留されている熱媒が利用箇所に供給されることなく第１の所定時間が経過する場合に、ヒートポンプ熱源を駆動させ、タンクに貯留されている熱媒を、第１の目標温度よりも高い第２の目標温度に加熱する高温加熱運転を実行可能に構成されていてもよい。この場合、制御装置は、電力抑制運転中において、タンクに貯留されている熱媒が利用箇所に供給されることなく第１の所定時間が経過する際の外気温度が第２の所定温度よりも大きい場合に、深夜時間帯の間に、高温加熱運転を開始させるとよい。
【００１３】
上記の構成によると、制御装置は、タンクに貯留されている熱媒が利用箇所に供給されることなく第１の所定時間が経過する際の外気温度が第２の所定温度よりも大きい場合に、深夜時間帯の間に、高温加熱運転を開始させる。深夜時間帯においては、熱媒の利用箇所への供給が所望される可能性が低い。深夜時間帯に高温加熱運転を開始させることで、利用箇所への熱媒の供給（第１の熱媒供給運転又は第２の熱媒供給運転）と高温加熱運転が同時に実行されることを抑制することができる。従って、電力抑制運転中において、給湯システムの消費電力を抑制することができる。
【００１４】
また、深夜時間帯の外気温度は、昼間時間帯の外気温度よりも低い。ヒートポンプ熱源の加熱能力は、外気温度が低いほど低下する。従って、外気温度が低いほど、ヒートポンプ熱源の加熱能力は抑制される。高温加熱運転に必要な電力は比較的に大きい。このため、タンクに貯留されている熱媒が利用箇所に供給されることなく第１の所定時間が経過する際の外気温度が第２の所定温度以下の場合、深夜時間帯に高温加熱運転を開始させると、高温加熱運転が完了しない場合がある。上記の構成によると、制御装置は、高温加熱運転を確実に完了させることができる。
【００１５】
給湯システムは、屋外に設置された第１及び第２の屋外コンセントを備える家屋に設置され、ヒートポンプ熱源を有するヒートポンプユニットは、第１の屋外コンセントに電気的に接続されており、タンクを有するタンクユニット及び補助熱源を有する補助熱源ユニットは、第２の屋外コンセントに電気的に接続されていてもよい。この場合、制御装置は、電力抑制運転中において、外部電源から第１の屋外コンセントを介してヒートポンプユニットに供給される電流が所定電流以下となるように、ヒートポンプユニットの動作を制御するとともに、外部電源から第２の屋外コンセントを介してタンクユニット及び補助熱源ユニットに供給される電流が、所定電流以下となるようにタンクユニット及び補助熱源ユニットの動作を制御するとよい。
【００１６】
上記の構成によると、ヒートポンプユニットに供給される電流、及び、タンクユニット及び補助熱源ユニットに供給される電流は、所定電流以下に制御される。第１及び第２の屋外コンセントは、給湯システムが設置される家屋の分電盤からの分岐配線に電気的に接続される。なお、分岐配線には、当該家屋の浴室の照明なども電気的に接続される。この場合、各屋外コンセントに接続される機器に供給される電流は、所定電流以下でなければならないことが、内線規程に記載されている。内線規程を守れない場合は、当該機器のみが電気的に接続される配線（専用配線）を利用して、当該機器と分電盤を接続する必要がある。即ち、第１及び第２の屋外コンセントを利用することができない。専用配線を利用する場合、屋内と屋外を繋ぐ配線工事が必要になるため、工事に時間を要する。上記の構成によると、ヒートポンプユニットと、ガス熱源機及びタンクユニットとは、それぞれ、内線規程を守ることができる。従って、ヒートポンプユニットを第１の屋外コンセントに接続し、ガス熱源機及びタンクユニットを第２の屋外コンセントに電気的に接続することができる。このため、分電盤と第１及び第２の屋外コンセントを接続する工事のみが必要になり、給湯システムを家屋に設置するときの施工業者の作業を簡略化することができる。
【図面の簡単な説明】
【００１７】
【図１】第１実施例に係る給湯システムの構成を模式的に示す図である。
【図２】第１実施例に係る分電盤の構成を模式的に示す図である。
【図３】第１実施例に係る給湯システムの構成を模式的に示す図である。
【図４】特定の世帯において、給湯が行われる時間帯を模式的に示す図。
【図５】電力抑制処理のフローチャートを示す。
【図６】高温加熱処理のフローチャートを示す。
【図７】第２実施例に係る給湯システムの構成を模式的に示す図である。
【図８】第２実施例に係る分電盤の構成を模式的に示す図である。
【発明を実施するための形態】
【００１８】
（第１実施例）
図１〜図３を用いて、給湯システム１について説明する。図１に示すように、給湯システム１は、家屋１００に設置される。給湯システム１は、ＨＰ（ヒートポンプ）ユニット４と、タンクユニット６と、ガス熱源機ユニット８を備えている。
【００１９】
家屋１００は、屋内１０１と屋外１０２を隔てる壁１０３を備えている。また、家屋１００は、分電盤２と、屋外コンセント９と、を備えている。屋内１０１に分電盤２が設置されており、屋外１０２に屋外コンセント９が設置されている。分電盤２が壁１０３の内側に設置されており、屋外コンセント９が壁１０３の外側に設置されている。分電盤２と屋外コンセント９は、コンセント配線１４によって電気的に接続されている。コンセント配線１４は、壁１０３を貫通して分電盤２と屋外コンセント９に接続されている。
【００２０】
分電盤２は、商用電源１０に電気的に接続されている。商用電源１０を介して電力系統から家屋１００に電力が供給される。図２に示すように、分電盤２は、１つの主幹ブレーカー２１と、複数の分岐ブレーカー２２を備えている。商用電源１０と主幹ブレーカー２１が電源配線２３によって電気的に接続されている。主幹ブレーカー２１と複数の分岐ブレーカー２２が分岐配線２４によって電気的に接続されている。分岐ブレーカー２２ａと屋外コンセント９が、コンセント配線１４によって電気的に接続されている。分岐ブレーカー２２ａ以外の分岐ブレーカー２２（以下では、「その他の分岐ブレーカーと呼ぶ」）と図示しない端末機器とが、端末配線２５によって電気的に接続されている。
【００２１】
主幹ブレーカー２１は、電源配線２３から分岐配線２４へ流れる電流が所定のしきい値を超えたときにその電流を遮断する機能を有している。分岐ブレーカー２２ａは、分岐配線２４からコンセント配線１４へ流れる電流が所定のしきい値を超えたときにその電流を遮断する機能を有している。その他の分岐ブレーカーは、分岐配線２４から各端末配線２５へ流れる電流が所定のしきい値を超えたときにその電流を遮断する機能を有している。
【００２２】
屋外コンセント９は、２つのプラグを抜き差し可能なように構成されている。図１に示すように、屋外コンセント９には、第１の配線系統１１のプラグと第２の配線系統１２のプラグが差し込まれている。第１の配線系統１１は、１つの電力線１１ａで構成されている。電力線１１ａによって屋外コンセント９とヒートポンプユニット４が電気的に接続されている。第２の配線系統１２は、２つの電力線１２ａ、１２ｂを備えている。電力線１２ａによって屋外コンセント９とガス熱源機ユニット８が電気的に接続されており、電力線１２ｂによってガス熱源機ユニット８とタンクユニット６が電気的に接続されている。従って、給湯システム１には、商用電源１０から分電盤２、屋外コンセント９を介して電力が供給される。
【００２３】
図３に示すように、ＨＰユニット４は、ヒートポンプ４０を備えている。ヒートポンプ４０は、外気から吸熱して水を加熱する熱源である。ヒートポンプ４０は、圧縮機４１と、凝縮器４２と、膨張弁４３と、蒸発器４４を備えている。圧縮機４１は、冷媒を加圧して高温高圧にする。凝縮器４２は、水との熱交換により冷媒を冷却する。膨張弁４３は、冷媒を減圧して低温低圧にする。蒸発器４４は、外気との熱交換により冷媒を加熱する。ヒートポンプ４０は、冷媒（例えばフロン系冷媒）を、圧縮機４１、凝縮器４２、膨張弁４３、蒸発器４４の順に循環させることで、外気から吸熱して水を加熱する。ＨＰユニット４はさらに、除霜弁４９と、除霜経路４９ａと、を備えている。除霜経路４９ａは、凝縮器４２と膨張弁４３との間と、膨張弁４３と蒸発器４４との間と、に接続されている。除霜弁４９は、平常時は閉じられており、後述する除霜運転が実行されるときに開かれる。ＨＰユニット４はさらに、凝縮器４２に水を循環させる循環ポンプ４５と、凝縮器４２に流れ込む水の温度を検出する戻りサーミスタ４６と、凝縮器４２から流れ出る水の温度を検出する往きサーミスタ４７と、外気温度を検出する外気温度サーミスタ４８と、ＨＰユニット４の各構成要素の動作を制御するＨＰコントローラ２００を備えている。以下では、圧縮機４１と、凝縮器４２と、膨張弁４３と、蒸発器４４とを、総称して、「ヒートポンプ熱源」という。
【００２４】
タンクユニット６は、タンク３０と、混合弁３２と、バイパス制御弁３４を備えている。タンク３０は、外側が断熱材で覆われており、内部に水を貯える密閉型の容器である。タンク３０は、ヒートポンプ４０によって加熱された水を貯える。ＨＰユニット４の循環ポンプ４５が駆動すると、タンク３０の底部から水が吸い出されて凝縮器４２へ送られる。凝縮器４２で加熱されて高温となった水は、タンク３０の頂部からタンク３０内に戻される。ヒートポンプ４０によって加熱された水がタンク３０に流れ込むと、タンク３０の内部には、低温の水の層の上に高温の水の層が積み重なった温度成層が形成される。タンク３０には、上部の水の温度を検出する上部サーミスタ３６と、中間部の水の温度を検出する中間部サーミスタ３７と、下部の水の温度を検出する下部サーミスタ３８が取り付けられている。
【００２５】
タンクユニット６には、給水経路７１を介して水道水が供給される。給水経路７１には、給水圧力を減圧する減圧弁７３と、給水温度ＴＷを検出する入水サーミスタ７５が取り付けられている。給水経路７１は、タンク３０の底部に連通するタンク給水経路７７と、混合弁３２に連通するタンクバイパス経路７９に分岐している。タンク給水経路７７とタンクバイパス経路７９には、それぞれ逆止弁５１、５２が取り付けられている。また、タンクバイパス経路７９には、混合弁３２に流入する水道水の流量を検出する水側水量センサ５４が取り付けられている。タンク３０の頂部と混合弁３２は、タンク出湯経路５６を介して連通している。タンク出湯経路５６には、逆止弁５８と、混合弁３２に流入するタンク３０からの水の流量を検出する湯側水量センサ６０が取り付けられている。
【００２６】
混合弁３２は、タンクバイパス経路７９から流れ込む水道水と、タンク出湯経路５６から流れ込むタンク３０からの水を混合して、第１給湯経路６２に送り出す。混合弁３２は、ステッピングモータによって弁を駆動し、タンクバイパス経路７９側の開度（水側の開度）と、タンク出湯経路５６側の開度（湯側の開度）を調整する。第１給湯経路６２には、混合弁３２から送り出される水の温度を検出する混合サーミスタ６４が取り付けられている。なお、以下では、タンクバイパス経路７９から流れ込む水道水のみが第１給湯経路６２に送り出されるように調整されている混合弁３２の状態を、「全閉状態」と呼ぶ。
【００２７】
タンクユニット６からは、第２給湯経路６６を介して、台所やシャワー、カラン等の給湯箇所への給湯が行われる。第２給湯経路６６には、給湯箇所へ供給される水の温度を検出する給湯出口サーミスタ６８と、逆止弁７０が取り付けられている。第１給湯経路６２と第２給湯経路６６の間は、給湯バイパス経路７２によって連通している。給湯バイパス経路７２には、バイパス制御弁３４が取り付けられている。
【００２８】
タンクユニット６の各経路には、電気式の凍結防止ヒータ５７ａ〜５７ｇが設けられている。給水経路７１には、凍結防止ヒータ５７ａが設けられており、タンク給水経路７７には、凍結防止ヒータ５７ｂが設けられており、タンク出湯経路５６には、凍結防止ヒータ５７ｃが設けられており、タンクバイパス経路７９には、凍結防止ヒータ５７ｄが設けられており、第１給湯経路６２には、凍結防止ヒータ５７ｅが設けられており、給湯バイパス経路７２には、凍結防止ヒータ５７ｆが設けられており、第２給湯経路６６には、凍結防止ヒータ５７ｇが設けられている。また、タンクユニット６は、外気温度を検出する外気温度サーミスタ５９を備えている。また、タンクユニット６は、さらに、タンクユニット６の各構成要素の動作を制御するタンクコントローラ２０２を備えている。タンクコントローラ２０２は、不揮発性メモリ２０３を備えている。不揮発性メモリ２０３は、後述する、加熱開始予定時刻などを記憶する。
【００２９】
ガス熱源機ユニット８は、ガス熱源機５０を備えている。ガス熱源機５０は、バーナ８０と、熱交換器８２を備えている。また、ガス熱源機ユニット８は、バイパスサーボ８４と、水量サーボ８６と、湯はり弁８８を備えている。バーナ８０は、燃料ガスの燃焼によって熱交換器８２を流れる水を加熱する熱源である。熱交換器８２には、バーナ往路９０を介して、タンクユニット６の第１給湯経路６２からの水が流れ込む。熱交換器８２を通過した水は、バーナ復路９２を介して、タンクユニット６の第２給湯経路６６へ流れ出る。バーナ往路９０には、熱交換器８２へ流れ込む水の流量を調整する水量サーボ８６が取り付けられている。バーナ往路９０とバーナ復路９２の間は、バーナバイパス経路９４を介して連通している。バーナ往路９０とバーナバイパス経路９４の接続部に、バイパスサーボ８４が取り付けられている。バイパスサーボ８４は、バーナ往路９０からバーナバイパス経路９４へ流れる水の流量を調整する。バーナ復路９２には、熱交換器８２から流れ出る水の温度を検出するバーナ給湯サーミスタ９６が取り付けられている。バーナ復路９２からは、湯はり経路９８が分岐している。湯はり経路９８には、湯はり弁８８が取り付けられている。ガス熱源機ユニット８からは、湯はり経路９８を介して、給湯箇所である浴槽への湯はりが行われる。
【００３０】
ガス熱源機ユニット８の各経路には、電気式の凍結防止ヒータ９３ａ〜９３ｆが設けられている。水量サーボ８６より上流側のバーナ往路９０には、凍結防止ヒータ９３ａが設けられており、バイパスサーボ８４より下流側のバーナ往路９０には、凍結防止ヒータ９３ｂが設けられており、バーナバイパス経路９４には、凍結防止ヒータ９３ｃが設けられており、バーナ復路９２には、凍結防止ヒータ９３ｄ、９３ｅが設けられており、湯はり経路９８には、凍結防止ヒータ９３ｆが設けられている。ガス熱源機ユニット８は、外気温度を検出する外気温度サーミスタ９５を備えている。
【００３１】
ガス熱源機ユニット８はさらに、ガス熱源機コントローラ２０４と、ガス熱源機コントローラ２０４と通信可能なリモコン２０６と、を備えている。ガス熱源機コントローラ２０４は、ガス熱源機ユニット８の各構成要素の動作を制御する。リモコン２０６は、スイッチやボタン等を介して、ユーザからの各種の操作入力を受け入れる。また、リモコン２０６は、表示や音声によってユーザに給湯システム１の設定や動作に関する各種の情報を通知する。
【００３２】
ＨＰコントローラ２００とタンクコントローラ２０２は、互いに通信可能である。タンクコントローラ２０２とガス熱源機コントローラ２０４は、互いに通信可能である。従って、ＨＰコントローラ２００と、タンクコントローラ２０２と、ガス熱源機コントローラ２０４が協調して制御を行うことで、給湯システム１は加熱運転、給湯運転、凍結防止運転等の各種の動作を行うことができる。以下では、ＨＰコントローラ２００と、タンクコントローラ２０２と、ガス熱源機コントローラ２０４と、を総称して、単にコントローラと呼ぶことがある。
【００３３】
図２に示すように、給湯システム１は、分岐配線２４（いわゆる共用配線）に接続されている屋外コンセント９に電気的に接続されている。このような構成において、商用電源１０から分電盤２、屋外コンセント９を介して給湯システム１に供給される電流は、所定電流（例えば、１０Ａ）以下でなければならないことが、内線規程に記載されている。本実施例において、給湯システム１を給湯システム１の最大消費電力で動作させると、給湯システム１に供給される電流は所定電流を超える。このため、コントローラは、給湯システム１に供給される電流が所定電流以下になるように、給湯システム１の動作を制御する。具体的には、コントローラは、給湯システム１の消費電力が抑制電力ＷＳ以下となるように、給湯システム１の動作を制御する。例えば、所定電流が１０Ａであり、屋外コンセント９の電圧が１００Ｖである場合、抑制電力ＷＳは、１０００Ｗである。なお、給湯システム１の消費電力を抑制電力ＷＳ以下に抑制する必要がない場合の給湯システム１の動作状態を「通常運転」とし、給湯システム１の消費電力を抑制電力ＷＳ以下に抑制する場合の給湯システム１の動作状態を「電力抑制運転」と呼ぶ。給湯システム１の消費電力を抑制電力ＷＳ以下に抑制する必要がない場合とは、例えば、給湯システム１が専用配線を利用して、分電盤２に電気的に接続されている場合などである。給湯システム１の動作状態は、給湯システム１の施工業者によって設定される。施工業者は、給湯システム１の家屋１００への設置が完了した後に、リモコン２０６を操作することによって、給湯システム１の動作状態を電力抑制運転に設定する。
【００３４】
次いで、給湯システム１の動作について説明する。給湯システム１は、加熱運転と、給湯運転と、凍結防止運転と、除霜運転と、を行う。
【００３５】
（加熱運転）
加熱運転では、給湯システム１は、ヒートポンプ熱源を駆動して、タンク３０内の水を加熱する。加熱運転は、ヒートポンプ熱源による加熱後の目標温度ＴＡが第１の目標温度ＴＡ１である低温加熱運転と、ヒートポンプ熱源による加熱後の目標温度ＴＡが第２の目標温度ＴＡ２である高温加熱運転によって構成されている。第２の目標温度ＴＡ２は、第１の目標温度ＴＡ１よりも高い。低温加熱運転は、給湯箇所への給湯に用いるために、タンク３０内の水を加熱する。このため、低温加熱運転における第１の目標温度ＴＡ１は、給湯に適した温度（例えば、４５℃）に設定されている。高温加熱運転は、タンク３０内の水に繁殖する虞のある菌類（レジオネラ菌など）を滅菌させるために、タンク３０内の水を加熱する。一般に、タンク３０内の水が、低温（例えば６０℃以下の温度）の状態で長時間（例えば、９６時間）滞留されている場合に、菌類（レジオネラ菌など）が繁殖する虞がある。このため、高温加熱運転における第２の目標温度ＴＡ２は、菌類（レジオネラ菌など）を滅菌するのに十分な温度（例えば、６５℃）に設定されている。これにより、菌類が繁殖している可能性のある水が給湯されることを防止することができる。なお、第２の目標温度ＴＡ２は、第１の目標温度ＴＡ１よりも高いため、高温加熱運転中の給湯システム１の消費電力は、低温加熱運転中の給湯システム１の消費電力よりも大きい。
【００３６】
加熱運転が開始されると、コントローラは、圧縮機４１を駆動して、圧縮機４１、凝縮器４２、膨張弁４３、蒸発器４４の順に冷媒を循環させるとともに、循環ポンプ４５を駆動して、タンク３０と凝縮器４２の間で水を循環させる。これによって、タンク３０の底部から吸い出された水は、凝縮器４２において目標温度ＴＡまで加熱されて、タンク３０の頂部に戻される。タンク３０内の水の所定量が目標温度ＴＡまで加熱された水で置き換えられると、コントローラは加熱運転を終了する。
【００３７】
（給湯運転）
給湯運転では、給湯設定温度の水を給湯箇所へ供給する。コントローラは、水側水量センサ５４で検出される流量と、湯側水量センサ６０で検出される流量を合算した流量（給湯流量ともいう）が最低動作流量（例えば２．４Ｌ／分）以上となると、カランの開栓や浴槽への湯はりなどにより給湯箇所への給湯が開始されたものと判断する。そして、コントローラは、上部サーミスタ３６で検出される温度に応じて、以下の非燃焼給湯運転または燃焼給湯運転を実行する。
【００３８】
上部サーミスタ３６で検出される温度が給湯設定温度以上である場合、コントローラは、非燃焼給湯運転を実行する。非燃焼給湯運転では、コントローラは、バーナ８０の燃焼運転を禁止するとともに、混合サーミスタ６４で検出される温度が給湯設定温度となるように、混合弁３２の開度を調整する。これによって、給湯箇所に給湯設定温度に温度調整された水が供給される。
【００３９】
上部サーミスタ３６で検出される温度が給湯設定温度未満の場合、コントローラは、燃焼給湯運転を実行する。燃焼給湯運転では、コントローラは、バーナ８０の燃焼運転を許可するとともに、混合サーミスタ６４で検出される温度が、給湯設定温度よりもバーナ８０の最小加熱能力の分だけ低い温度となるように、混合弁３２の開度を調整する。この場合、タンク３０の上部から供給される高温の水と、給水経路７１から供給される低温の水が、混合弁３２において混合された後、バーナ８０によって給湯設定温度まで加熱されて、給湯箇所へ供給される。なお、燃焼給湯運転には、混合弁３２が全閉状態に固定されている場合も含まれる。この場合、コントローラは、バーナ８０によって加熱された水が給湯設定温度になるように、バーナ８０の加熱能力を調整する。
【００４０】
上記の非燃焼給湯運転または燃焼給湯運転を実行中に、給湯流量が最低動作流量を下回ると、コントローラは、カランの閉栓や浴槽への湯はりの終了などにより給湯箇所への給湯が終了したものと判断して、給湯運転を終了する。
【００４１】
（凍結防止運転）
冬季などの外気温度が低い状態では、配管の内部で水が凍結してしまうことがある。配管の内部で水が凍結すると、加熱運転と給湯運転を実行できなくなってしまうことがある。そこで、給湯システム１は、水の凍結を防止する凍結防止運転を実行する。ＨＰユニット４の外気温度サーミスタ４８によって検出された外気温度ＴＯ１が所定温度より低い場合、コントローラは、循環ポンプ４５を所定時間にわたって駆動して、タンク３０と凝縮器４２の間で水を循環させる。これによって、タンク３０内の水がタンク３０と凝縮器４２の間で循環し、循環経路の凍結を防止する。
【００４２】
また、タンクユニット６の外気温度サーミスタ５９によって検出された外気温度ＴＯ２が所定温度より低い場合、コントローラは、凍結防止ヒータ５７ａ〜５９ｇを所定時間にわたってオンにして、タンクユニット６の各経路を加熱する。これによって、タンクユニット６の各経路内の水を加熱して凍結を防止する。
【００４３】
また、ガス熱源機ユニット８の外気温度サーミスタ９５によって検出された外気温度ＴＯ３が所定温度より低い場合は、コントローラは、凍結防止ヒータ９３ａ〜９３ｆを所定時間にわたってオンにして、ガス熱源機ユニット８の各経路を加熱する。これによって、ガス熱源機ユニット８の各経路内の水を加熱して凍結を防止する。なお、電力抑制運転中において、コントローラは、凍結防止運転が実行されている間は、給湯運転を禁止する。これにより、凍結防止運転中の給湯システム１の消費電力が抑制電力ＷＳを超えることを抑制することができる。
【００４４】
（除霜運転）
外気温度ＴＯ１が低い状況において、ヒートポンプ熱源を駆動すると、蒸発器４４に着霜してしまうことがある。蒸発器４４に着霜してしまうと、外気との熱交換率が低下して、ヒートポンプ熱源の加熱能力が低下してしまう。そこで、除霜運転では、蒸発器４４を除霜する。具体的には、一時的に除霜弁４９を開いて、圧縮機４１から吐出した高温の冷媒が、凝縮器４２を通過後、膨張弁４３をバイパスして蒸発器４４に流れるようにする。蒸発器４４に高温の冷媒が流れることで、蒸発器４４が除霜される。なお、コントローラは、電力抑制運転中において、除霜運転中の消費電力が抑制電力ＷＳ以下になるように、給湯システム１の動作を制御する。
【００４５】
（低温加熱運転の加熱開始予定時刻の特定）
次いで、図４を用いて、上述の低温加熱運転の加熱開始予定時刻の特定について説明する。加熱開始予定時刻は、過去の給湯の使用実績に応じて特定される。まず、コントローラは、特定の世帯の給湯の傾向に基づいて、加熱開始予定時刻を特定する。具体的には、コントローラは、特定の世帯において、給湯が行われる度に、給湯が開始された時刻と、給湯が終了した時刻と、を示す時刻情報と、供給された水の量を示す供給量情報と、を記憶する。コントローラは、１日分の時刻情報および供給量情報を、特定の世帯の１日分の運転履歴として記憶する。本実施例では、コントローラは、特定の世帯の過去７日分の運転履歴を記憶する。このため、コントローラは、２４時間毎に、８日前の運転履歴を消去して、前日の運転履歴を記憶する。
【００４６】
次いで、コントローラは、特定の世帯の過去７日分の運転履歴から、過去７日間において、最初の給湯が開始された時刻のうち、最も早い時刻を特定する。以下では、この時刻を「給湯開始時刻Ｓ１」と呼ぶ。例えば、コントローラは、６：００を給湯開始時刻Ｓ１として特定する（図４参照）。なお、最初の給湯では、５Ｌ〜２０Ｌ程度の水が供給される。
【００４７】
また、コントローラは、特定の世帯の過去７日分の運転履歴から、過去７日間において、湯張り運転が開始された時刻のうち、最も早い時刻を特定する。以下では、この時刻を「湯張り開始時刻Ｂ１」と呼ぶ。本実施例では、特定の世帯は、毎日２０：００に湯張り運転を開始するように予め設定している。例えば、コントローラは、２０：００を湯張り開始時刻Ｂ１として特定する（図４参照）。なお、湯張り運転では、１５０Ｌ〜１８０Ｌ程度の水が供給される。また、コントローラは、湯張り開始時刻Ｂ１を第１の開始予定時刻ＴＳ１として特定する。第１の開始予定時刻ＴＳ１は、後述する図６の高温加熱運転処理で利用される。なお、変形例では、コントローラは、給湯開始時刻Ｓ１を第１の開始予定時刻ＴＳ１に設定してもよい。
【００４８】
さらに、コントローラは、特定の世帯の過去７日分の運転履歴から、過去７日間において、最後の給湯が終了した時刻のうち、最も遅い時刻を特定する。以下では、この時刻を「給湯終了時刻Ｇ１」と呼ぶ。例えば、コントローラは、０：００を給湯終了時刻Ｇ１として特定する（図４参照）。
【００４９】
さらに、コントローラは、入水サーミスタ７５が測定する給水温度ＴＷに基づいて、第１の特定時間α、第２の特定時間β、および、第３の特定時間γを特定する。
【００５０】
次いで、コントローラは、給湯開始時刻Ｓ１から、特定された第１の特定時間αだけ前の時刻である第１加熱開始予定時刻Ｓ０を特定し、湯張り開始時刻Ｂ１から、特定された第２の特定時間βだけ前の時刻である第２加熱開始予定時刻Ｂ０を特定する。すなわち、コントローラは、加熱開始予定時刻として、第１加熱開始予定時刻Ｓ０と第２加熱開始予定時刻Ｂ０を、不揮発性メモリ２０３に記憶する。そして、不揮発性メモリ２０３に記憶されている加熱開始予定時刻が到来すると、コントローラは、加熱運転を開始させる。
【００５１】
（電力抑制処理）
次いで、図５を用いて、電力抑制処理について説明する。電力抑制処理は、施工業者によって、給湯システム１の動作状態が電力抑制運転に設定される場合に実行される。
【００５２】
ステップＳ１０において、コントローラは、外気温度ＴＯ１が第１の所定温度（例えば、５℃）未満であるのか否かを判断する。外気温度ＴＯ１が第１の所定温度未満である場合（ステップＳ１０でＹＥＳ）、処理は、ステップＳ１２に進む。
【００５３】
ステップＳ１２において、コントローラは、低温加熱運転を禁止する。上述のように、給湯システム１の消費電力は、抑制電力ＷＳ以下に抑制される。また、ヒートポンプ熱源の加熱能力は、外気温度ＴＯ１が低いほど、低下する。このため、電力抑制運転中において、外気温度ＴＯ１が低いと、ヒートポンプ熱源の加熱能力はさらに抑制される。従って、外気温度ＴＯ１が第１の所定温度未満の場合において、タンク３０内の水を第１の目標温度ＴＡ１まで加熱することができないなどの問題が生じ得る。低温加熱運転を禁止することで、給湯システム１による電力の消費を抑制することができる。バーナ８０の加熱能力は、ヒートポンプ熱源の加熱能力よりも高い。従って、コントローラは、外気温度ＴＯ１が第１の所定温度未満の場合において、燃焼給湯運転を実行させることで、給湯箇所に、給湯設定温度に加熱された熱媒を確実に供給することができる。なお、タンク３０に、低温加熱運転が禁止される前に加熱された水が貯留されている場合は、非燃焼給湯運転を優先的に実行してもよい。そして、タンク３０内の加熱された水が無くなった後に、燃焼給湯運転に切り替えてもよい。この場合でも、給湯箇所に、給湯設定温度に加熱された熱媒を確実に供給することができる。
【００５４】
一般的に、ヒートポンプ熱源によって熱媒を加熱するときのエネルギー消費量（以下では、「第１のエネルギー消費量」と呼ぶ）は、バーナ８０による熱媒の加熱に利用されるエネルギー消費量（以下では、「第２のエネルギー消費量」と呼ぶ）よりも小さい。しかしながら、外気温度が比較的に低い場合、第１のエネルギー消費量は、第２のエネルギー消費量よりも大きくなる。外気温度ＴＯ１が第１の所定温度未満の場合において、ヒートポンプ熱源による低温加熱運転を禁止することで、給湯システム１全体のエネルギー消費量を低減することができる。
【００５５】
一方、外気温度ＴＯ１が第１の所定温度以上である場合（ステップＳ１０でＮＯ）、処理は、ステップＳ１４に進む。ステップＳ１４において、コントローラは、低温加熱運転を許可する。従って、Ｓ１２でＹＥＳと判断された後に、外気温度ＴＯ１が第１の所定温度以上になった場合、コントローラは、低温加熱運転の禁止を解除する。
【００５６】
（電力抑制運転中の高温加熱処理）
次いで、図６を用いて電力抑制運転中の高温加熱処理について説明する。高温加熱処理は、給湯システム１に高温加熱運転を実行させるための処理である。高温加熱処理は、外気温度ＴＯ１が特定温度よりも高い場合に実行される。上述のように、高温加熱運転を実行する際の第２の目標温度ＴＡ２は、比較的に高い。電力抑制運転中において、ヒートポンプ熱源の加熱能力は制限される。また、外気温度ＴＯ１が低いほど、ヒートポンプ熱源の加熱能力は低下する。従って、電力抑制運転中において、外気温度ＴＯ１が低いほど、ヒートポンプ熱源の加熱能力は抑制される。このため、外気温度ＴＯ１が特定温度未満である場合に、高温加熱運転を実行させても、タンク３０内の水を第２の目標温度ＴＡ２まで加熱させることができない。従って、コントローラは、外気温度ＴＯ１が特定温度よりも高い場合に、図６の処理を実行する。
【００５７】
ステップＳ３０において、コントローラは、タンク３０内の水の滞留時間が第１の所定時間Ｔ１（例えば、９６時間）よりも大きくなることを監視する。滞留時間が第１の所定時間Ｔ１よりも大きくなると（ステップＳ３０でＹＥＳ）、処理は、ステップＳ３２に進む。
【００５８】
ステップＳ３２において、コントローラは、混合弁３２を全閉状態に固定する。これにより、菌類が繁殖している恐れのある水が、台所やシャワー、カラン、浴槽等の給湯箇所に供給されることを防止することができる。また、コントローラは、非燃焼給湯運転を禁止する。即ち、高温加熱運転が完了するまでの間に、ユーザによって給湯を所望する操作が実行される場合、コントローラは、燃焼給湯運転を実行する。
【００５９】
ステップＳ３４において、コントローラは、第１の開始予定時刻ＴＳ１が設定されているのか否かを判断する。上述のように、コントローラは、７日分の運転履歴が不揮発性メモリ２０３に記憶される場合に、第１の開始予定時刻ＴＳ１を設定する。従って、例えば、給湯システム１の家屋１００への設置が完了した直後など、給湯システム１が家屋１００に設置されてから７日が経過していない場合、第１の開始予定時刻ＴＳ１は設定されない。
【００６０】
第１の開始予定時刻ＴＳ１が設定されていると判断する場合（ステップＳ３４でＹＥＳ）、処理は、ステップＳ３６に進む。ステップＳ３６において、コントローラは、第１の開始予定時刻ＴＳ１に基づいて、高温加熱運転の第２の開始予定時刻ＴＳ２を設定する。まず、コントローラは、第２の目標温度ＴＡ２とタンク３０内の水の温度に基づいて、高温加熱運転に要する時間（以下では、「高温加熱運転時間」と呼ぶ）を特定する。そして、コントローラは、第１の開始予定時刻ＴＳ１から、高温加熱運転時間だけ前の時刻を、第２の開始予定時刻ＴＳ２として設定する。例えば、高温加熱運転時間が２時間であり、第１の開始予定時刻ＴＳ１が２０：００である場合、コントローラは、１８：００を第２の開始予定時刻ＴＳ２として設定する。これにより、高温加熱運転と、給湯運転が同時に実行されることを抑制することができる。給湯運転が実行されると、給湯システム１は、電力を消費する。このため、高温加熱運転と、給湯運転が同時に実行されると、給湯システム１の消費電力が抑制電力ＷＳを超える可能性がある。高温加熱運転を第２の開始予定時刻ＴＳ２に実行させることで、高温加熱運転と給湯運転が同時に実行されることを抑制することできる。これにより、給湯システム１によって利用される電力が抑制電力ＷＳを超えることを抑制することができる。
【００６１】
ステップＳ３８において、コントローラは、第２の開始予定時刻ＴＳ２が到来することを監視する。第２の開始予定時刻ＴＳ２が到来すると（ステップＳ３８でＹＥＳ）、処理は、ステップＳ４０に進む。
【００６２】
ステップＳ４０において、コントローラは、高温加熱運転を実行し、タンク３０内の水を、第２の目標温度ＴＡ２まで加熱する。高温加熱運転が完了すると、ステップＳ４２において、コントローラは、混合弁３２を、全閉状態から解除する。これにより、コントローラは、非燃焼給湯運転が実行可能な状態になる。
【００６３】
一方、第１の開始予定時刻ＴＳ１が設定されていないと判断する場合（ステップＳ３４でＮＯ）、処理は、ステップＳ５０に進む。ステップＳ５０において、コントローラは、外気温度ＴＯ１が第２の所定温度（例えば、１５℃）よりも大きいか否かを判断する。第２の所定温度は、第１の所定温度よりも高い温度であり、外気温度ＴＯ１が比較的に低い深夜時間帯に高温加熱運転を実行可能か否かを判断するための温度である。外気温度ＴＯ１が第２の所定温度よりも大きい場合（ステップＳ５０でＹＥＳ）、処理は、ステップＳ３６に進む。ステップＳ３６が終了すると、ステップＳ３８〜ステップＳ４２が実行される。なお、ここで、ステップＳ３６において、コントローラは、第２の開始予定時刻ＴＳ２として、深夜時間帯（例えば、２：００）を設定する。そして、第２の開始予定時刻ＴＳ２が到来すると（ステップＳ３８でＹＥＳ）、コントローラは、高温加熱運転を実行する。深夜時間帯においては、給湯を所望する操作がユーザによって実行される可能性が低い。このため、深夜時間帯に高温加熱運転を実行させることで、高温加熱運転と給湯運転が同時に実行されることを抑制することができる。この結果、給湯システム１によって利用される電力が抑制電力ＷＳを超えることを抑制することができる。
【００６４】
一方、外気温度ＴＯ１が第２の所定温度以下の場合（ステップＳ５０でＮＯ）、処理は、ステップＳ６０に進む。ステップＳ６０において、コントローラは、未給湯時間が第２の所定時間Ｔ２（例えば、３０分）よりも大きくなることを監視する。未給湯時間は、給湯運転が完了してからの経過時間である。未給湯時間が第２の所定時間Ｔ２よりも大きくなると（ステップＳ６０でＹＥＳ）、ステップＳ４０において、コントローラは、高温加熱運転を実行する。給湯運転から第２の所定時間Ｔ２が経過している場合、その後の比較的短時間の間に、ユーザによって給湯を所望する操作が実行される可能性は低い。従って、高温加熱運転と給湯運転が同時に実行されることを抑制することができる。この結果、給湯システム１によって利用される電力が抑制電力ＷＳを超えることを抑制することができる。
【００６５】
上述のように、電力抑制運転中において、コントローラは、外気温度ＴＯ１が第１の所定温度未満である場合（図５のステップＳ１０でＹＥＳ）に、低温加熱運転を禁止する。電力抑制運転中であり、外気温度ＴＯ１が第１の所定温度未満である場合、低温加熱運転が実行されても、タンク３０内の水を第１の目標温度ＴＡ１まで加熱できない可能性がある。このため、低温加熱運転を禁止することで、給湯システム１によって消費される電力を抑制することができる。また、タンク３０に第１の目標温度ＴＡ１に加熱された水が貯留されている場合は非燃焼給湯運転を実行し、タンク３０に第１の目標温度ＴＡ１に加熱された水が貯留されていない場合は、燃焼給湯運転を実行することで、給湯箇所に加熱された水を確実に供給することができる。
【００６６】
また、電力抑制運転中において、コントローラは、第１の開始予定時刻ＴＳ１に基づいて、高温加熱運転の第２の開始予定時刻ＴＳ２を設定する（図６のステップＳ３４でＹＥＳを経たステップＳ３６）。これにより、コントローラは、高温加熱運転と給湯運転が同時に実行されることを抑制することができる。従って、電力抑制運転中の給湯システム１の消費電力を抑制することができる。
【００６７】
また、電力抑制運転中において、コントローラは、外気温度ＴＯ１が第２の所定温度よりも大きい場合に、深夜時間帯を高温加熱運転の第２の開始予定時刻ＴＳ２として設定する（図６のステップＳ５０でＹＥＳを経たステップＳ３６）。深夜時間帯においては、ユーザによって給湯箇所を所望される可能性が低い。これにより、コントローラは、高温加熱運転と給湯運転が同時に実行されることを抑制することができる。従って、電力抑制運転中の給湯システム１の消費電力を抑制することができる。
【００６８】
また、電力抑制運転中において、コントローラは、未給湯時間が第２の所定時間Ｔ２よりも大きい場合に、高温加熱運転を開始させる。未給湯時間が第２の所定時間Ｔ２よりも大きい場合、その後の比較的短時間の間に、ユーザによって給湯を所望する操作が実行される可能性は低い。このため、高温加熱運転と燃焼給湯運転が同時に実行されることを抑制することができる。従って、電力抑制運転中の給湯システム１の消費電力を抑制することができる。
【００６９】
（対応関係）
水が「熱媒」の一例である。バーナ８０が、「補助熱源」の一例である。非燃焼給湯運転、燃焼給湯運転が、それぞれ、「第１の熱媒供給運転」、「第２の熱媒供給運転」の一例である。第１の開始予定時刻ＴＳ１、第２の開始予定時刻ＴＳ２が、それぞれ、「熱媒の供給開始予定時刻」、「高温加熱運転の開始予定時刻」の一例である。
【００７０】
（第２実施例）
図７、図８を用いて、第１実施例と異なる点を説明する。なお、以下では、実施例間で共通する構成については、同じ符号を付して説明を省略する。第２実施例では、ＨＰユニット４が屋外コンセント３０９ａに電気的に接続されており、タンクユニット６及びガス熱源機ユニット８が、屋外コンセント３０９ｂに電気的に接続されている点が第１実施例と異なる。
【００７１】
図７に示すように、家屋１００の壁１０３の外側に、屋外コンセント３０９ａ、３０９ｂが設置されている。屋外コンセント２０９ａには、第１の配線系統３１１のプラグが差し込まれている。第１の配線系統３１１の電力線３１１ａによって、屋外コンセント３０９ａとＨＰユニット４が電気的に接続されている。屋外コンセント３０９ｂには、第２の配線系統３１２のプラグが差し込まれている。第２の配線系統３１２は、２つの電力線３１２ａ、３１２ｂを備えている。電力線３１２ａによって屋外コンセント３０９ｂとガス熱源機ユニット８が電気的に接続されており、電力線３１２ｂによってガス熱源機ユニット８とタンクユニット６が電気的に接続されている。
【００７２】
図８に示すように、分岐ブレーカー３２２ａと屋外コンセント３０９ａがコンセント配線３１４ａによって接続されており、分岐ブレーカー３２２ｂと屋外コンセント３０９ｂがコンセント配線３１４ｂによって電気的に接続されている。即ち、屋外コンセント３０９ａ、３０９ｂのそれぞれが、分岐配線２４に電気的に接続されている。この場合、コントローラは、分電盤２からＨＰユニット４に供給される電流が所定電流以下になるように、ＨＰユニット４の動作を制御する。また、コントローラは、分電盤２からガス熱源機ユニット８及びタンクユニット６に供給される電流が所定電流以下となるように、ガス熱源機ユニット８及びタンクユニット６の動作を制御する。即ち、コントローラは、ＨＰユニット４の消費電力と、ガス熱源機ユニット８及びタンクユニット６の消費電力と、のそれぞれが、抑制電力ＷＳ以下になるように給湯システム１の動作を制御する。
【００７３】
上記の構成によると、コントローラは、ＨＰユニット４の消費電力と、ガス熱源機ユニット８及びタンクユニット６の消費電力と、のそれぞれが抑制電力ＷＳ以下となるように給湯システム１の動作を制御する。従って、ＨＰユニット４を屋外コンセント３０９ａに接続し、ガス熱源機ユニット８及びタンクユニット６を屋外コンセント３０９ｂに接続しても、内線規程を守ることができる。内線規程を守ることができない場合は、専用配線を準備する必要がある。専用配線を準備するためには、屋内と屋外を繋ぐ配線工事が必要となり、施工業者の手間が大きい。一方、上記の構成では、分電盤２と屋外コンセント３０９ａ、３０９ｂを接続する工事のみが必要になり、給湯システム１を家屋１００に設置する際の施工業者の手間を小さくすることができる。
【００７４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７５】
１        ：給湯システム
２        ：分電盤
４        ：ヒートポンプユニット
６        ：タンクユニット
８        ：ガス熱源機ユニット
９        ：屋外コンセント
１０      ：商用電源
１１      ：第１配線系統
１１ａ    ：電力線
１２      ：第２配線系統
１２ａ    ：電力線
１２ｂ    ：電力線
１４      ：コンセント配線
２１      ：主幹ブレーカー
２２      ：分岐ブレーカー
２２ａ    ：コンセント用分岐ブレーカー
２３      ：電源配線
２４      ：分岐配線
２５      ：端末配線
３０      ：タンク
３２      ：混合弁
３４      ：バイパス制御弁
３６      ：上部サーミスタ
３７      ：中間部サーミスタ
３８      ：下部サーミスタ
４０      ：ヒートポンプ
４１      ：圧縮機
４２      ：凝縮器
４３      ：膨張弁
４４      ：蒸発器
４５      ：循環ポンプ
４６      ：戻りサーミスタ
４７      ：往きサーミスタ
４８      ：外気温度サーミスタ
４９      ：除霜弁
４９ａ    ：除霜経路
５０      ：ガス熱源機
５１      ：逆止弁
５２      ：逆止弁
５４      ：水側水量センサ
５６      ：タンク出湯経路
５７ａ〜ｇ      ：凍結防止ヒータ
５８      ：逆止弁
５９      ：外気温度サーミスタ
６０      ：湯側水量センサ
６２      ：第１給湯経路
６４      ：混合サーミスタ
６６      ：第２給湯経路
６８      ：給湯出口サーミスタ
７０      ：逆止弁
７１      ：給水経路
７２      ：給湯バイパス経路
７３      ：減圧弁
７５      ：入水サーミスタ
７７      ：タンク給水経路
７９      ：タンクバイパス経路
８０      ：バーナ
８２      ：熱交換器
８４      ：バイパスサーボ
８６      ：水量サーボ
８８      ：湯はり弁
９０      ：バーナ往路
９２      ：バーナ復路
９３ａ〜ｇ      ：凍結防止ヒータ
９４      ：バーナバイパス経路
９５      ：外気温度サーミスタ
９６      ：バーナ給湯サーミスタ
９８      ：湯はり経路
１００    ：家屋
１０１    ：屋内
１０２    ：屋外
１０３    ：壁
２００    ：ＨＰコントローラ
２０２    ：タンクコントローラ
２０３    ：不揮発性メモリ
２０４    ：ガス熱源機コントローラ
２０６    ：リモコン 
【図１】
2018119723.tif 000003
【図２】
2018119723.tif 000004
【図３】
2018119723.tif 000005
【図４】
2018119723.tif 000006
【図５】
2018119723.tif 000007
【図６】
2018119723.tif 000008
【図７】
2018119723.tif 000009
【図８】
2018119723.tif 000010